(57)【要約】【課題】リモコンの表示を消灯する手段が無く、また、安易に表示を消灯する機能を搭載すると、使用者に対し不用意に高温のお湯が給湯されてしまう可能性がある。【解決手段】給湯温度表示部２０と、風呂湯量表示部２１と風呂温度表示部２２からなるその他表示部２３と、給湯温度変更手段２５と、表示入り切り手段２９を備え、使用者が表示入り切り手段２９によりリモコンの表示入りを選択している場合は、その他表示部２３は点灯し、給湯温度表示部２０も点灯する。そして、表示切りを選択した場合は、その他表示部２３は消灯するが、給湯温度表示部２０は点灯のままとしている。よって、使用者が設定温度不明のままで高温のお湯が不用意に供給されるのを防ぎ、かつ未使用の時の眩しさや消費電力の低減を行う、給湯器のリモコンを提供する。【選択図】　図２
2004012043.tif 000002
【特許請求の範囲】
【請求項１】
給湯温度表示部と、給湯温度以外の表示を行うその他表示部を備えたリモコン表示部と、前記リモコン表示部の点灯・消灯を変更する表示入り切り手段を備え、前記表示入り切り手段により、リモコン表示部の切りが選択されたとき、前記給湯温度表示部を残してリモコン表示部の消灯を行うことを特徴とする給湯器のリモコン。
【請求項２】
給湯温度表示部と、給湯温度以外の表示を行うその他表示部を備えたリモコン表示部と、給湯温度を変更する給湯温度変更手段と、前記リモコン表示部の点灯・消灯を変更する表示入り切り手段を備え、前記表示入り切り手段により、リモコン表示部の切りが選択されたとき、給湯温度表示部が所定温度以上の表示を行っていれば前記給湯温度表示部を残してリモコン表示部の消灯を行い、所定温度以下の表示を行っていればリモコン表示部を全消灯することを特徴とした給湯器のリモコン。
【請求項３】
給湯温度表示部と、給湯温度以外の表示を行うその他表示部を備えたリモコン表示部と、前記リモコン表示部の点灯・消灯を変更する表示入り切り手段と、給湯中であることを検出する給湯検出手段を備え、前記表示入り切り手段によりリモコン表示部の切りが選択されたときリモコン表示部は消灯し、その後前記給湯検出手段が給湯中であることを検出したとき、前記給湯温度表示部を点灯することを特徴とした給湯器のリモコン。
【請求項４】
リモコン表示部の輝度変更手段を備え、表示入り切り手段に連動し、リモコン表示部の輝度の変更を行うことを特徴とした請求項１から３記載の給湯器のリモコン。
【請求項５】
リモコン表示部のバックライトを備え、表示入り切り手段に連動してバックライトの点灯・消灯を行うことを特徴とした請求項１から３記載の給湯器のリモコン。
【請求項６】
風呂への湯張りを行う風呂運転機能を備え、表示入り切り手段に連動して風呂運転の入り切りを行うことを特徴とした請求項１から５記載の給湯器のリモコン。
【発明の詳細な説明】
【０００１】
【発明の属する技術分野】
本発明は、表示部の点灯・消灯をその時の条件に従い決定することを行う給湯器のリモコンに関するものである。
【０００２】
【従来の技術】
従来の給湯器のリモコンについて図１を用いて説明する。
【０００３】
図１において、１が給湯温度表示部、２が風呂湯量表示部、３が風呂温度表示部、４が前記給湯温度表示部１と風呂湯量表示部２と風呂温度表示部３からなるリモコン表示部、５が給湯温度変更手段、６が風呂湯量変更手段、７が風呂温度変更手段、８が風呂運転入り切り手段である。
【０００４】
このリモコンにおいて、給湯温度表示部１は給湯温度変更手段５によって設定された給湯温度の表示を行い、風呂湯量表示部２は風呂湯量変更手段６によって設定された風呂湯量の表示を行い、風呂温度表示部３は風呂温度変更手段７によって設定された風呂温度の表示を行う。また、風呂運転入り切り手段８により風呂機能の運転・停止の操作を行う。
【０００５】
リモコン表示部４は、視認性向上のため蛍光表示管・有機ＥＬのような自発光素子や、バックライトを搭載した液晶が採用されている。
【０００６】
また、同じく図１において、９が貯湯槽、１０が給湯温度調整部、１１がお湯側カランである。
【０００７】
貯湯槽９にはお湯が貯えられていて、使用者がお湯側カラン１１を開くと、給湯温調整部１０が作動し、湯温度表示部１に表示されている温度のお湯を供給する構成となっている。
【０００８】
【発明が解決しようとする課題】
しかしながら前記従来の給湯器のリモコンでは、主にリモコンが取り付けられる場所として、台所や浴室の中が多く、その表示部の視認性を向上させるために常時点灯としていたため、表示を消灯する手段が無かった。
【０００９】
夜間などの未使用時において、台所や浴室の照明は消灯されているので、リモコン表示が点灯していると眩しく感じてしまう。また、表示を行うので、ある程度の電力は消費してしまい、待機電力低減を行う上でリモコン表示分の電力以下に抑えることは不可能であった。そして、貯湯式給湯器であるが故に、お湯側のカランを開くと、お湯が常に供給されてしまうものであり、このとき、眩しさや消費電力の為に給湯温度表示を含むリモコン表示部を消灯してしまうと、何度のお湯が供給されてくるかが分からず、高温のお湯が供給されてしまった場合は危険なものとなるといった課題を有していた。
【００１０】
本発明は、前記従来の課題を解決するもので、使用者が設定温度不明のままで高温のお湯が不用意に供給されるのを防ぎ、かつ未使用の時の眩しさや消費電力の低減を行う、給湯器のリモコンを提供することを目的とする。
【００１１】
【課題を解決するための手段】
本発明は、上記課題を解決するために、給湯温度表示部と、給湯温度以外の表示を行うその他表示部を備えたリモコン表示部と、前記リモコン表示部の点灯・消灯を変更する表示入り切り手段を備え、前記表示入り切り手段により、リモコン表示部の切りが選択されたとき、前記給湯温度表示部を残してリモコン表示部の消灯を行うとしたものである。
【００１２】
これによって、不必要なリモコン表示を消灯し、眩しさや消費電力においても低減を図ることとなる。また、給湯温度が表示されているので、不用意に高温のお湯が供給されることはなく、使用者は安心してお湯を使用することとなる。
【００１３】
【発明の実施の形態】
請求項１記載の発明は、給湯温度表示部と、給湯温度以外の表示を行うその他表示部を備えたリモコン表示部と、前記リモコン表示部の点灯・消灯を変更する表示入り切り手段を備え、前記表示入り切り手段により、リモコン表示部の切りが選択されたとき、前記給湯温度表示部を残してリモコン表示部の消灯を行うことを特徴とすることにより、不必要なリモコン表示を消灯し、眩しさや消費電力においても低減を図ることとなり、また、給湯温度が表示されているので、不用意に高温のお湯が供給されることはなく、使用者は安心してお湯を使用することができる。
【００１４】
請求項２記載の発明は、給湯温度表示部と、給湯温度以外の表示を行うその他表示部を備えたリモコン表示部と、給湯温度を変更する給湯温度変更手段と、前記リモコン表示部の点灯・消灯を変更する表示入り切り手段を備え、前記表示入り切り手段により、リモコン表示部の切りが選択されたとき、給湯温度表示部が所定温度以上の表示を行っていれば前記給湯温度表示部を残してリモコン表示部の消灯を行い、所定温度以下の表示を行っていればリモコン表示部を全消灯することを特徴とすることにより、給湯温度が高温の場合はリモコン表示により使用者に対して注意喚起を行い、低温の場合は全消灯にすることができ、安全を確保したまま、より眩しさや消費電力においても低減を図ることができる。
【００１５】
請求項３記載の発明は、給湯温度表示部と、給湯温度以外の表示を行うその他表示部を備えたリモコン表示部と、前記リモコン表示部の点灯・消灯を変更する表示入り切り手段と、給湯中であることを検出する給湯検出手段を備え、前記表示入り切り手段によりリモコン表示部の切りが選択されたときリモコン表示部は消灯し、その後前記給湯検出手段が給湯中であることを検出したとき、給湯温度表示部を点灯することを特徴とすることにより、お湯側のカランが開いたことを検出すると、給湯温度を表示することで使用者に対して注意喚起を行い、お湯側のカランが閉じたことを検出すると全消灯にすることができ、安全を確保したまま、より眩しさや消費電力においても低減を図ることができる。
【００１６】
請求項４記載の発明によれば、リモコン表示部の輝度変更手段を備え、表示入り切り手段に連動し、リモコン表示部の輝度の変更を行うことを特徴とすることで、不用意に高温のお湯が供給されることがないように使用者に対し注意喚起を行う給湯温度表示に対し、その輝度を下げることで眩しさを更に低減することができる。
【００１７】
請求項５記載の発明によれば、リモコン表示部のバックライトを備え、表示入り切り手段に連動してバックライトの点灯・消灯を行うことを特徴とすることで、不用意に高温のお湯が供給されることがないように使用者に対し注意喚起を行う給湯温度表示を行い、バックライトは使用者の意思に従い消灯することで眩しさと共に、消費電力においても更に低減することができる。
【００１８】
請求項６記載の発明によれば、風呂への湯張りを行う風呂運転機能を備え、表示入り切り手段に連動して風呂運転の入り切りを行うことを特徴とすることで、表示入り切りを行うためのスイッチ手段を新たに設けることなく、既存のスイッチ操作のみで実現することができ、操作性においても煩雑にならなくすることができる。
【００１９】
【実施例】
以下、本発明の実施例について図面を用いて説明する。
【００２０】
（実施例１）
図２は本発明の実施例１についての構成図である。
【００２１】
図２において、２０が給湯温度表示部、２１が風呂湯量表示部、２２が風呂温度表示部、２３が、前記風呂湯量表示部２１と風呂温度表示部２２からなるその他表示部、２４が前記給湯温度表示部２０とその他表示部２３からなるリモコン表示部、２５が給湯温度変更手段、２６が風呂湯量変更手段、２７が風呂温度変更手段、２８が風呂運転入り切り手段、２９が表示入り切り手段である。
【００２２】
このリモコンにおいて、給湯温度表示部２０は給湯温度変更手段２５によって設定された給湯温度の表示を行い、風呂湯量表示部２１は風呂湯量変更手段２６によって設定された風呂湯量の表示を行い、風呂温度表示部２２は風呂温度変更手段２７によって設定された風呂温度の表示を行う。また、風呂運転入り切り手段２８により風呂機能の運転・停止の操作を行う。
【００２３】
また、図４において、３０が貯湯槽、３１が給湯温度調整部、３２がお湯側カランである。
【００２４】
貯湯槽３０にはお湯が貯えられていて、使用者がお湯側カラン３２を開くと、給湯温調整部３１が作動し、湯温度表示部２０に表示されている温度のお湯を供給する構成となっている。
【００２５】
以上のように構成された貯湯式給湯器のリモコンにおいて、使用者が表示入り切り手段２９によりリモコンの表示入りを選択している場合は、その他表示部２３は点灯し、給湯温度表示部２０も点灯をしている。そして、表示切りを選択した場合は、その他表示部２３は消灯するが、給湯温度表示部２０は点灯のままとしている。
【００２６】
以上のように本実施例においては、表示入り切り手段２９により、リモコン表示の切りが選択されたとき、給湯温度表示部２０を残してリモコン表示部２４の消灯を行うことを特徴とすることにより、不必要なリモコン表示を消灯し、眩しさや消費電力においても低減を図ることとなり、また、給湯温度が表示されているので、不用意に高温のお湯が供給されることはなく、使用者は安心してお湯を使用することができる。
【００２７】
（実施例２）
図３は本発明の実施例２についてのフローチャートである。
【００２８】
実施例１と異なるところは、表示入り切り手段２９により、リモコン表示の切りが選択されたとき、給湯温度表示部２０の点灯・消灯を選択する判断を追加している点である。
【００２９】
図３において、まず、使用者が表示入り切り手段２９により現在、どちらの状態を選択しているのかの判定を行う（処理４０）。リモコン表示の入りが選択されていたときは、給湯温度表示部２０及び、その他表示部２３は共に点灯する（処理４１）。リモコン表示の切りが選択されていたときは、給湯温度変更手段２５によって設定された給湯温度が、予め設定された所定温度を超えているかどうかの判定を行う（処理４２）。判定の結果、給湯温度が所定温度以下であれば、給湯温度表示部２０及び、その他表示部２３は共に消灯する（処理４３）。判定の結果、給湯温度が所定温度以上であれば、給湯温度表示部２０は点灯し、その他表示部２３は消灯する（処理４４）。
【００３０】
以上のように本実施例においては、給湯温度が高温の場合はリモコン表示により使用者に対して注意喚起を行い、低温の場合は全消灯にすることができ、安全を確保したまま、より眩しさや消費電力においても低減を図ることができる。
【００３１】
（実施例３）
図４は本発明の実施例３についての構成図である。
【００３２】
図４において、５０はお湯側カラン３２から給湯中であることを検出する給湯検出手段である。
【００３３】
実施例１と異なるところは、この給湯検出手段５０を設けている点である。
【００３４】
以上のように構成された貯湯式給湯器のリモコンにおいて、使用者が表示入り切り手段２９によりリモコンの表示入りを選択している場合は、給湯温度表示部２０及び、その他表示部２３は点灯する。表示切りを選択した場合は、まず、給湯温度表示部２０及び、その他表示部２３は共に消灯する。その後、給湯検出手段５０がお湯側カラン３２を開いたことを検出すると、その他表示部２３は消灯のままで、給湯温度表示部２０は点灯する。
【００３５】
また、カランを閉じたら給湯温度表示部２０は消灯してもよい。お湯側カラン３２を開いたことを検出すると、その他表示部２３を点灯し、給湯温度表示部２０とともに一定時間のあいだ点灯するでもよい。
【００３６】
以上のように本実施例においては、お湯側カラン３２が開いたことを検出すると、給湯温度を表示することで使用者に対して注意喚起を行い、お湯側カラン３２が閉じたことを検出すると全消灯にすることができ、安全を確保したまま、より眩しさや消費電力においても低減を図ることができる。
【００３７】
（実施例４）
図５は本発明の実施例４についての構成図である。
【００３８】
図５において、６０はリモコン表示部２４の輝度の変更を行う輝度変更手段である。
【００３９】
実施例１から３と異なるところは、この輝度変更手段６０を設けている点である。
【００４０】
以上のように構成された貯湯式給湯器のリモコンにおいて、使用者が表示入り切り手段２９によりリモコンの表示入りを選択している場合は、給湯温度表示部２０及び、その他表示部２３は通常の輝度で点灯する。表示切りを選択した場合は、その他表示部２３は消灯するが、給湯温度表示部２０は実施例１から３におけるそれぞれの条件により点灯・消灯が選択される。点灯が選択された場合は、給湯温度表示部２０は点灯するが、このとき輝度変更手段６０により、通常より暗めの輝度での点灯とする。
【００４１】
以上のように本実施例においては、表示入り切り手段２９に連動し、リモコン表示部２４の輝度の変更を行うことで、不用意に高温のお湯が供給されることがないように使用者に対し注意喚起を行う給湯温度表示２０に対し、その輝度を下げることで眩しさを更に低減することができる。
【００４２】
（実施例５）
図６は本発明の実施例５についての構成図である。
【００４３】
図６において、７０はリモコン表示部２４のバックライトである。
【００４４】
実施例１から３と異なるところは、このバックライト７０を設けている点である。
【００４５】
以上のように構成された貯湯式給湯器のリモコンにおいて、使用者が表示入り切り手段２９によりリモコンの表示入りを選択している場合は、給湯温度表示部２０及び、その他表示部２３は点灯し、同時にバックライト７０も点灯する。表示切りを選択した場合は、その他表示部２３は消灯するが、給湯温度表示部２０は実施例１から３におけるそれぞれの条件により点灯・消灯が選択される。このときのバックライト７０は、給湯温度表示２０の点灯・消灯に関係無く消灯となる。
【００４６】
以上のように本実施例においては、表示入り切り手段２９に連動してバックライト７０の点灯・消灯を行うことで、不用意に高温のお湯が供給されることがないように使用者に対し注意喚起を行う給湯温度表示２０を行うと共に、使用者の意思に従いバックライト７０を消灯することで眩しさと共に、消費電力においても更に低減することができる。
【００４７】
（実施例６）
図７は本発明の実施例６についての構成図である。
【００４８】
実施例１から５と異なるところは、風呂機能の運転・停止の操作を行う風呂運転入り切り手段２８に、リモコン表示２４の入り切り機能を兼用している点である。
【００４９】
以上のように構成された貯湯式給湯器のリモコンにおいて、風呂運転機能がオンされているときは、給湯温度表示部２０及び、その他表示部２３は点灯する。風呂運転機能がオフされているときは、その他表示部２３は消灯するが、給湯温度表示部２０は実施例１から５におけるそれぞれの条件により点灯・消灯が選択される。
【００５０】
以上のように本実施例においては、リモコン表示２４の入り切り手段と風呂運転機能の入り切りを兼用することで、表示入り切りを行うためのスイッチ手段を新たに設けることなく、既存のスイッチ操作のみで実現することができ、操作性においても煩雑にならなくすることができる。
【００５１】
【発明の効果】
以上のように、本発明によれば、表示入り切り手段により、リモコン表示の切りが選択されたとき、給湯温度表示部を残してリモコン表示部の消灯を行うことを特徴とすることにより、不必要なリモコン表示を消灯し、眩しさや消費電力においても低減を図ることとなり、また、給湯温度が表示されているので、不用意に高温のお湯が供給されることはなく、使用者は安心してお湯を使用することができる。
【図面の簡単な説明】
【図１】従来の給湯器リモコンの構成図
【図２】本発明の実施例１における給湯器リモコンの構成図
【図３】本発明の実施例２における給湯器リモコンのフローチャート
【図４】本発明の実施例３における給湯器リモコンの構成図
【図５】本発明の実施例４における給湯器リモコンの構成図
【図６】本発明の実施例５における給湯器リモコンの構成図
【図７】本発明の実施例６における給湯器リモコンの構成図
【符号の説明】
２０　給湯温度表示部
２３　その他表示部
２４　リモコン表示部
２５　給湯温度変更手段
２８　風呂運転入り切り手段
２９　表示入り切り手段
５０　給湯検出手段
６０　輝度変更手段
７０　バックライト
【図１】
2004012043.tif 000003
【図２】
2004012043.tif 000004
【図３】
2004012043.tif 000005
【図４】
2004012043.tif 000006
【図５】
2004012043.tif 000007
【図６】
2004012043.tif 000008
【図７】
2004012043.tif 000009